(57)【要約】【課題】簡易かつ部品点数が少ない構成で、発表等のときに操作性のよいマウスを提供する。【解決手段】  マウス１は、ケース１１、発光ダイオード２１、ハーフミラー２２、ピン２３、イメージセンサ２４、ばね２５，２６等を備える。ケース１１には、イメージセンサまで開設された孔１５と、前記発光ダイオード２１の光を孔に導く第１導入路１２と、前記第１導入路から放出した光を導いて前記マウスの前方まで貫通する第２導入路１３を有している。ばね２５，２６は、孔１５内でハーフミラー２２を下方へ押し付ける。マウス１が持ち上げられたときには、ハーフミラー２２が下方へ移動して第１導入路１２の光軸から退避し、第２導入路１３へ光を通す。マウス１が机１０１に置かれたときは、マウス１本体から突き出たピン２３が孔１５に収まり、発光ダイオード２１の光がハーフミラー２２に当たって、イメージセンサ２４が移動方向等を検出する。【選択図】図２
2008276287.tif 000002
【特許請求の範囲】
【請求項１】
光を出力する発光部と、
マウス本体の底面と接触する接触面を読み取るイメージセンサと、
前記接触面に光を導くと共に、その反射光を前記イメージセンサに光を導く第１の光導入部と、を備えたマウスにおいて、
前記発光部から出力された光を前記マウス本体の外側へ光を導く第２の光導入部と、
前記マウス本体と前記接触面との接触状態を検出し、当該検出した接触状態に応じて前記発光部が出力する光の量を調整する光量調整手段と、
前記底面に略垂直な方向に沿って、移動可能に設けられた突起部と、
前記突起部の移動に連動して、前記光の入射を前記第１の光導入部、前記第２の光導入部のいずれかへ切り換える切換手段と、を備え、
前記切換手段は、重力によりまたは外的動力を与えることにより、（Ａ）前記マウス本体が前記接触面から離れたときに、前記突起部をマウス本体の外部に突出させ、（Ｂ）前記マウス本体が前記接触面に接触したときには、前記突起部をマウス本体の内側に移動させる移動手段を備えるマウス。
【請求項２】
前記第１の光導入部は、
一部の光を反射させて一部の光を透過させるハーフミラーであって、前記発光部から出力された光を前記接触面に照射し、この光を前記イメージセンサに導くハーフミラーと、
前記マウス本体の前記底面からイメージセンサまで開設された孔と、
前記発光部から出力された光を前記孔に導く第１導入路と、を備え、
前記ハーフミラーは、前記孔内部で移動可能に挿入されていると共に、前記突起部に固定されており、
前記第２の光導入部は、前記第１導入路、孔を介して前記発光部から出力された光を受け入れ、
前記第１の光導入部は、以下（Ａ’）、（Ｂ’）のように配置されている請求項１に記載のマウス。
（Ａ’）前記マウス本体が前記接触面から離れたときには、前記第１の導入部が前記発光部が出力する光軸から退避して、前記第２の光導入部へ光を通し、
（Ｂ’）前記マウス本体が前記接触面に接触したときには、前記第１導入路を通った前記光が前記ハーフミラーに入射し、前記発光部が出力する光を前記ハーフミラーが前記イメージセンサに導いて、前記イメージセンサが前記接触面を読み取る。
【請求項３】
前記光量調整手段は、前記第２導入路へ光を通していることを検出した場合には、前記発光部が出力する光の量を小さく調整する請求項１または２のいずれかに記載のマウス。
【請求項４】
前記光量調整手段は、前記イメージセンサの検出する画像に基づいて前記第２導入路へ光を通していることを検出する請求項１〜３のいずれかに記載のマウス。
【請求項５】
前記移動手段は、弾性部材を備え、マウス本体が持ち上げられたときには、前記弾性部材が、前記ハーフミラーを、前記マウス本体の内側から前記底面へ向く方向へ移動させる請求項１〜４のいずれかに記載のマウス。
【請求項６】
前記第１の光導入部は、前記発光部の前方に近接して設けられ、前記発光部から出力された光を接触面に導く管状の導光棒を備え、
前記第１の光導入部、前記イメージセンサは、前記接触面で反射した反射光が前記イメージセンサに入射するよう配置され、
前記導光棒は、前記発光部の前方から退避するか、前記発光部の正面に移動するかのいずれかに移動可能に設けられ、
前記突起部は、前記導光棒に固定され、
前記導光棒は、以下（Ａ’’）、（Ｂ’’）のように配置されている請求項１に記載のマウス。
（Ａ’’）前記マウス本体が前記接触面から離れたときには、前記導光棒を前記発光部の前方から退避させて前記発光部から出力された光を前記第２の光導入部に導入し、
（Ｂ’’）前記マウス本体が前記接触面に接触したときには、前記発光部から出力された光を前記導光棒に導入すると共に、前記第２の光導入部の光の入り口を覆う請求項１に記載のマウス。
【請求項７】
前記第１の光導入部は、前記発光部から出力された光を、前記マウス本体の底面と接触する接触面に、導く管状の導光棒を備え、
前記第１の光導入部、前記イメージセンサは、前記接触面で反射した反射光が前記イメージセンサに入射するよう配置され、
前記導光棒と、前記第２の光導入部は、前記発光部から出力された光の入り口が前記発光部の前方に並行して設けられ、
前記切換手段は、前記突起部に固定された遮蔽部材を備え、
前記遮蔽部材は、前記第２の光導入部と、前記導光棒のいずれか一方のみ光を通す孔が設けられていると共に、他方の光導入部を遮蔽するものであり、前記突起部の移動に連動して、前記第１の光導入部のいずれか一方のみに光を通す請求項１に記載のマウス。
【発明の詳細な説明】
【技術分野】
【０００１】
本発明は、ポインティングデバイスの一種であるマウスに関し、特にプレゼンテーション、発表等で用いるレーザポインタを備えたマウスに関する。
【背景技術】
【０００２】
従来より、ポインティングデバイスとして光学式のマウスが普及している。このマウスは、発光素子、たとえばレーザダイオードと、机に反射した光を高速で連続して読み取るイメージセンサと、画像処理を行うＤＳＰ等を備えている。光学式のマウスは、読み取った前後の画像を比較して、移動方向、速度を判断する。
【０００３】
また、プレゼンテーション、発表等では、パソコンのプレゼンテーションソフトを使用することが常識になっている。プレゼンテーションには、差し棒かレーザポインタを使用するが、プレゼンテーションを１人で行う場合には、パソコンを操作しつつ、レーザポインタを使用しなければならない。そこで、パソコンを操作するマウスとレーザポインタが一体になった構成が提案されている（特許文献１等）。特許文献１には、ボール式マウスと、マウスが机等に接触しているかどうかを検出する接地検出手段と、プレゼンテーション用のレーザ光を出力するレーザ光の出力手段と、マウスの外部との通信とを手動で切り換える切換スイッチが開示されている。特許文献２、３には、マウスをプレゼンテーションに使用する構成が開示されている。
【特許文献１】特開２００２−３４２０２２公報
【特許文献２】特開２００５−２８４９９０公報
【特許文献３】特開２００３−２８０１０４公報
【発明の開示】
【発明が解決しようとする課題】
【０００４】
しかしながら、特許文献１の構成では、接地検出手段と、マウスと、レーザ光の出力手段と、切換スイッチとが別々で、部品点数が増える問題があった。また、切換スイッチハ、手動でありユーザが切り換えなければならない問題があった。
【０００５】
そこで、簡易かつ部品点数が少ない構成で、時に操作性のよいマウスを提供することを目的とする。
【課題を解決するための手段】
【０００６】
本発明は、上述の課題を解決するための手段を以下のように構成している。
【０００７】
（１）  光を出力する発光部と、
マウス本体の底面と接触する接触面を読み取るイメージセンサと、
前記接触面に光を導くと共に、その反射光を前記イメージセンサに光を導く第１の光導入部と、を備えたマウスにおいて、
前記発光部から出力された光を前記マウス本体の外側へ光を導く第２の光導入部と、
前記マウス本体と前記接触面との接触状態を検出し、当該検出した接触状態に応じて前記発光部が出力する光の量を調整する光量調整手段と、
前記底面に略垂直な方向に沿って、移動可能に設けられた突起部と、
前記突起部の移動に連動して、前記光の入射を前記第１の光導入部、前記第２の光導入部のいずれかへ切り換える切換手段と、を備え、
前記切換手段は、重力によりまたは外的動力を与えることにより、（Ａ）前記マウス本体が前記接触面から離れたときに、前記突起部をマウス本体の外部に突出させ、（Ｂ）前記マウス本体が前記接触面に接触したときには、前記突起部をマウス本体の内側に移動させる移動手段を備える。
【０００８】
この構成の移動手段によれば、マウスが接触面から離されたかどうかに応じて突起部が移動する。また、切換手段が、突起部の移動に連動して前記第１の光導入部、前記第２の光導入部への光の入射を切り換える。したがって、ユーザは、能動的に操作しなくても、パソコン等のポインタデバイスとして使用する場合と、プレゼンテーション等のポインタとして使用する場合とで光の出力方向を変えることができる。また、発光部は共用できるので部品点数の削減につながる。
【０００９】
なお、重力により突起部を移動する場合には、重力により移動するように、突起部、およびこれに連動する切換手段が配置されていることが移動手段に該当する。また、重力は、突起部のみの重量によるものでなくてもよく、それに連動する部材の重力により移動するものでもよい。さらに、底面は、必ずしも、マウス本体の鉛直下方の面であることを要せず、マウス本体が、接触面と接する面をいう。
【００１０】
（２）  前記第１の光導入部は、
一部の光を反射させて一部の光を透過させるハーフミラーであって、前記発光部から出力された光を前記接触面に照射し、この光を前記イメージセンサに導くハーフミラーと、
前記マウス本体の前記底面からイメージセンサまで開設された孔と、
前記発光部から出力された光を前記孔に導く第１導入路と、を備え、
前記ハーフミラーは、前記孔内部で移動可能に挿入されていると共に、前記突起部に固定されており、
前記第２の光導入部は、前記第１導入路、孔を介して前記発光部から出力された光を受け入れ、
前記第１の光導入部は、以下（Ａ’）、（Ｂ’）のように配置されている。
【００１１】
（Ａ’）前記マウス本体が前記接触面から離れたときには、前記第１の導入部が前記発光部が出力する光軸から退避して、前記第２の光導入部へ光を通し、
（Ｂ’）前記マウス本体が前記接触面から離れたときには、前記第１導入路を通った前記光が前記ハーフミラーに入射し、前記発光部が出力する光を前記ハーフミラーが前記イメージセンサに導いて、前記イメージセンサが前記接触面を読み取る。
【００１２】
この構成では、発光部から出力された光は、２つの通路がある。１つの場合は、（Ａ’）の場合、すなわち、ハーフミラーに当たらずに、第１導入路から導入路を通ってマウス本体前方から出力される場合である。この場合、プレゼンテーションなどに使うポインタとして機能する。もう１つは、（Ｂ’）の場合、すなわち、ハーフミラーに当たって、机などの接触面（マウス本体側でなく、対向する面とする。）を照らす場合である。この場合、照らされた面をイメージセンサが読み取り、パソコンのポインティングデバイスとして機能する。
【００１３】
このように構成すれば、以下の効果が生じる。
（Ｘ）マウスの構成として利用するハーフミラーを移動可能に構成しているので、発光部を共用できる。また、切換手段に用いるハーフミラーはマウスの構成として利用している。したがって、コストダウン、部品点数削減ができる。
（Ｙ）また、マウスを接触面に接触させたときと、そうでないときに、マウスの機能を自動的に切り換えるから、プレゼンテーション時に操作性を向上させることができ、操作者の負担を軽減できる。
【００１４】
（３）  前記光量調整手段は、前記第２導入路へ光を通していることを検出した場合には、前記発光部が出力する光の量を小さく調整する。
【００１５】
これにより、前記第２導入路へ光を通し、プレゼンテーション等のポインタとして使用する場合には、光の量を小さく調整するから目を傷めることがない。
【００１６】
（４）  前記光量調整手段は、前記イメージセンサの検出する画像に基づいて前記第２導入路へ光を通していることを検出してもよい。
【００１７】
接触面から離れたときは、第２導入路に光が出力され光を検出しないか、フォーカスがあわず、接触面を読み取ることができない。そこで、前記イメージセンサの検出する画像に基づいて接触の状態を検出できる。
【００１８】
（５）  前記移動手段は、弾性部材を備え、マウス本体が持ち上げられたときには、前記弾性部材が、前記ハーフミラーを、前記マウス本体の内側から前記底面へ向く方向へ移動させる。
【００１９】
この構成では、弾性部材により、マウスの外側にハーフミラーを押し付けているから、重力を用いるよりも前記（Ａ）の状態にすばやく切り換えることができる。
【００２０】
（６）  前記第１の光導入部は、前記発光部の前方に近接して設けられ、前記発光部から出力された光を接触面に導く管状の導光棒を備え、
前記第１の光導入部、前記イメージセンサは、前記接触面で反射した反射光が前記イメージセンサに入射するよう配置され、
前記導光棒は、前記発光部の前方から退避するか、前記発光部の正面に移動するかのいずれかに移動可能に設けられ、
前記突起部は、前記導光棒に固定され、
前記導光棒は、以下（Ａ’’）、（Ｂ’’）のように配置されている。
【００２１】
（Ａ’’）前記マウス本体が前記接触面から離れたときには、前記導光棒を前記発光部の前方から退避させて前記発光部から出力された光を前記第２の光導入部に導入し、
（Ｂ’’）前記マウス本体が前記接触面に接触したときには、前記発光部から出力された光を前記導光棒に導入すると共に、前記第２の光導入部の光の入り口を覆う。
【００２２】
この構成では、導光棒が移動手段により移動することにより、切換手段は、導光棒、第２の光導入部への光の入射を切り換えることができる。
【００２３】
（７）  前記第１の光導入部は、前記発光部から出力された光を、前記マウス本体の底面と接触する接触面に、導く管状の導光棒を備え、
前記第１の光導入部、前記イメージセンサは、前記接触面で反射した反射光が前記イメージセンサに入射するよう配置され、
前記導光棒と、前記第２の光導入部は、前記発光部から出力された光の入り口が前記発光部の前方に並行して設けられ、
前記切換手段は、前記突起部に固定された遮蔽部材を備え、
前記遮蔽部材は、前記第２の光導入部と、前記導光棒のいずれか一方のみ光を通す孔が設けられていると共に、他方の光導入部を遮蔽するものであり、前記突起部の移動に連動して、前記第１の光導入部のいずれか一方のみに光を通す。
【００２４】
この構成では、突起部に固定された遮蔽部材が移動することにより、前記導光棒、前記第２の光導入部のいずれか一方のみに光を通す。
【発明の効果】
【００２５】
本発明のマウスによれば、本来マウスに必要なレーザ光を発光させるレーザダイオード、ハーフミラーを用いて、プレゼンテーション用のポインティングを行うことができるので、簡易に構成でき、かつ部品点数を少なくすることができる。また、マウスの動作とプレゼンテーション用のポインティングの動作を自動的に切り換えるので、プレゼンテーション時に操作性を向上させることができ、操作者の負担を軽減できる。
【発明を実施するための最良の形態】
【００２６】
図１を用いて、第１実施形態のマウス１、マウス１で操作するＰＣ８について説明する。マウス１は、ケース１１と、ボタン１６と、ケース１１の内部に、発光ダイオード２１、ハーフミラー２２、ピン２３、イメージセンサ２４、ばね２５，２６、ＤＳＰ３、送受信部４、制御部５を備える。
【００２７】
ケース１１には、第１導入路１２、第２導入路１３、孔１５が空いている。第１導入路１２は、孔１５まで貫通している孔である。第２導入路１３は、孔１５からケース１１の前方１１１まで貫通している孔である。ここで、前方１１１とは、マウス１を手で持ったときにユーザの前方に来る側をいう。また、第２導入路１３は、少なくとも孔１５の位置で第１導入路１２と略同軸に構成されている。これにより、ハーフミラー２２が下面１０３へ下がったときは、発光ダイオード２１の光を通すことができる。孔１５は、底面に設けられた孔であり、机１０１上方のイメージセンサ２４まで突き通して空いている。
【００２８】
発光ダイオード２１は、光（またはレーザ光）を出力する。ハーフミラー２２は、受光した光のうちいずれかを反射させて一部を透過させる。ハーフミラー２２は、孔１５内を机１０１に垂直な方向に移動可能に構成する。これにより、ハーフミラー２２が机１０１に対し下面１０３の方へ下がったときは、発光ダイオード２１の光を第２導入路１３に通す（第１光路２１１）。机１０１に対し垂直方向に上げたときは、第１導入路１２から放出された光の一部を反射させて机１０１（本発明の接触面に相当する。）に導き、その他を透過する。机１０１で反射された光は、再度机１０１で反射して、一部の光がハーフミラー２２を透過してイメージセンサ２４に入射する。
【００２９】
ピン２３（本発明の突起部に相当する。）は、孔１５内でハーフミラー２２に固定されており、ハーフミラー２２から突出している。また、ばね２５，２６は、ケース１１と、ハーフミラー２２、ピン２３を離間する方向に働き、ハーフミラー２２、ピン２３を机１０１側へ押し付ける。ばね２５、ばね２６のばね力は、マウス１の重力よりも弱く形成されている。したがって、マウス１を机１０１においたときは、ピン２３、ハーフミラー２２は、孔１５に入る。
【００３０】
イメージセンサ２４は、ＣＭＯＳセンサ、画像メモリ、ＤＳＰ（digital signal processor）を備えるパッケージＩＣで構成できる。ＣＭＯＳセンサは２次元の画像（例えば２２４ピクセルの画像を、例えば毎秒１０００回の速度で）読み取る。画像メモリは、デジタル化した画像を記憶する。ＤＳＰは、前後の画像を比較して、移動方向、速度を測定し、制御部５に出力する。また、ＣＭＯＳセンサで読み取った画像からマウス１が机１０１に置かれているのか判断し、その信号（以下「接触検出信号」と称する。）を制御部５に出力する。
【００３１】
ＬＥＤドライバ３は、発光ダイオード２１の光の強度を制御する電流を出力する。送受信部４は、外部のＰＣ８（パーソナルコンピュータ）と通信する。送受信部４は、無線の送受信部であり、送受信部８４と無線で通信する。
【００３２】
なお、送受信部４の構成としては、赤外線で通信する構成や、ＵＳＢ（Universal Serial Bus）コントローラであってもよい。送受信部４、制御部５を兼用とするＩＣを用いてもよい。
【００３３】
制御部５は、マイコンで構成できる。ＣＰＵ、ＲＯＭ５１，ＲＡＭ５２，ＬＥＤドライバ３を制御する出力端子を備え、この出力端子の出力をＬＥＤドライバ３に入力する。ＲＯＭは、各種のサブルーチンを記憶している。例えば、光学マウスモード処理、光量調整処理、キー入力処理を実行するサブルーチンを記憶している。光学マウスモード処理は、イメージセンサ２４から出力された移動方向、速度を、送受信部４を介してＰＣに送信する。切換処理は、イメージセンサ２４の接触検出信号に基づいて、発光ダイオード２１の光量を調整して、光学マウスモードの場合とレーザポインタモードの場合との光量を切り換える。
【００３４】
光学マウスモードでは、マウス１は、ＰＣ８を操作するポインティングデバイスとして機能する。レーザポインタモードでは、プレゼンテーション用に第２導入路１３から発光ダイオード２１の光を出力し、レーザポインタとして機能する。ここでレーザポインタとは、プレゼンテーション用に、指し棒の代わりに、スクリーン等を指し示すために用いる道具である。キー入力処理は、ボタン１７から信号が入力された場合に、この信号を送受信部４を通して、ＰＣ８に送る処理である。
【００３５】
ＰＣ８（パーソナルコンピュータ）の構成について説明する。ＰＣ８は、一般的なパーソナルコンピュータの構成を備えていればよく、ＣＰＵ８０、ＲＯＭ８１、ＲＡＭ８２、記憶装置８３、送受信部８４、ＲＯＭ８５等を備える。ＣＰＵは、各種のプログラムを実行する。ＲＡＭ８２は、記憶装置８３内のプログラムを処理するために、このプログラムや計算結果を一時的に記憶する。ＲＯＭ８５は、フラッシュメモリ等で構成し、ファームウェア、制御情報を記憶している。
【００３６】
記憶装置８３は、各種のプログラム、データを記憶している。また、記憶装置８３は、マウス１の初期設定の情報、例えば、ポインタ矢印の画面上での移動速度、各種ボタン１７の設定などを記憶している。ユーザがマウス１について初期設定した場合には、送受信部８４を介してマウス１に初期設定のデータが送信され、マウス１の制御部５は、このデータをＲＯＭに記憶する。送受信部８４は、マウス１と通信する。送受信部８４をＵＳＢドライバとしてもよいし、無線式送受信や赤外式送受信を行う送受信部としてもよい。
【００３７】
なお、マウス１への電源の供給は、ＵＳＢであれば、送受信部４のＵＳＢから供給される。また、送受信部４を無線式送受信、赤外式送受信で行う場合には、この電源の供給は、マウス１内の図示しないバッテリから供給される。
また、ばね２５、２６は，必ずしも必須でなく、マウス１を持ち上げたときに重力でハーフミラー２２、ピン２３が下方に移動するようにしてもよい。また、ばね２５、２６は、コイルばねでなくても，板ばね、ゴムなどの弾性部材でもよい。また、磁石、電磁石を用いるものでもよい。
また、マイコンが発光ダイオード２１を直接制御できるよう、マイコンに大電流を出力および制御できる端子が設けられている場合があり、この場合には、ＬＥＤドライバ３を設けなくてもよい。
【００３８】
図２を用いて、光学マウスモード（図２（Ａ））と、レーザポインタモード（図２（Ｂ））の各モードについて説明する。
【００３９】
図２（Ａ）の光学マウスモードは、マウス１を机１０１に置かれた場合に動作する。光学マウスモードでは、マウス１の重力により、ピン２３が孔１５内で上方に押し付けられる。このとき、ばね２５、２６が縮み、ハーフミラー２２が上方に移動する。また、発光ダイオード２１の光がハーフミラー２２に入射する。図２（Ａ）に示す第２光路２１２に沿って、ハーフミラー２２に入射した光の一部は机１０１で反射する。反射した光の一部は、ハーフミラー２２を透過して、イメージセンサ２４に入力される。ハーフミラー２２は、光を第２導入路１３へ通さないよう遮蔽材が塗布されており、光学マウスモードのときには、第２導入路１３への光の出力を遮断する。
【００４０】
光学マウスモードのとき、イメージセンサ２４が入力する画像は、焦点が合い、光学マウスモードであることが認識できる。そこで、イメージセンサ２４は、接触検知信号をオンにして制御部５に出力する。イメージセンサ２４は、光学マウスモードのときは、移動方向、速度を測定し、制御部５に出力する。制御部５は、送受信部４を介して、この移動方向、速度をＰＣ８に送信する。
【００４１】
このように、ハーフミラー２２を移動可能に構成しているので、光学マウスモード、レーザポインタモードを自動的に切り換えることができ、レーザ光を出力する発光ダイオード２１を共用できる。また、この切換をするのに、マウス１の構成として利用するハーフミラー２２を使用しているので、部品点数を削減でき簡易に構成できる。
【００４２】
図２（Ｂ）のレーザポインタモードは、ユーザがマウス１を机１０１から上方に（１０２の方向）持ち上げた場合に動作する。この場合、ピン２３は、机１０１の反力を受けない。したがって、ピン２３は、ばね２５、２６により孔１５から飛び出すと共に、ハーフミラー２２が机１０１の方向に下がる。このとき、ハーフミラー２２が退避することになるから、発光ダイオード２１の光はハーフミラー２２に入射しない。図中の点線の第２光路２１２に示すように、発光ダイオード２１の光は、ケース１１の前方１１１からまっすぐ第１光路２１１を通って、前方１１１に出力される。
【００４３】
図３のフロー図を用いて、制御部５の光量調整処理について説明する。この処理は、所定時間ごとに呼び出され、継続的に繰り返される。図中ｔは、ｔ回目の繰り返しをしたことを表わしており、「時刻ｔ」というときは、この回数のカウント「ｔ回目」を表わしている。
【００４４】
ＳＴ１では、マウス１に所定電圧以上の電源が供給されているかどうか判断する。この判断に当たっては、Ａ／Ｄ変換器またはコンパレータを備えるようにすればよい。発光ダイオード２１に供給する電圧をＡ／Ｄ変換器またはコンパレータに入力し、予め定めた閾値と比較することにより判断できる。また、制御部５として、Ａ／Ｄ変換器の機能部を有するマイコンを利用してもよい。
【００４５】
ＳＴ１で、マウス１に所定電圧の電源が供給されている場合には（ＳＴ１のＹＥＳ）、ＳＴ２へ移動する。マウス１に所定電圧の電源が供給されていない場合には（ＳＴ１のＮＯ）、終了する。ＳＴ２で、イメージセンサ２４が光を検出しているか判断する。イメージセンサ２４が光を検出している場合には（ＳＴ２のＹＥＳ）、ＳＴ３に移動する。ＳＴ３では、ＲＡＭ５２は、現在時刻ｔを光学マウスモードと記憶する。例えば、フラグを立てて、光学マウスモードを１、レーザポインタモードを０という風にして記憶できる。イメージセンサ２４が光を検出していない場合には（ＳＴ２のＮＯ）、ＳＴ８に移動する。
【００４６】
ＳＴ４では、時刻ｔと、１回前にこのフローを実行した時刻ｔ−１とで、モード（光学マウスモード、レーザポインタモードのいずれか）が異なっているかどうか判断する。この判断においては、モードを時系列的にすべて記憶する必要はなく、現在実行中のモードを表わすモードＭと、１つ前（時刻ｔ−１）に実行したフローにおいて記憶したモードを表わすモードＭ_oldの２種類を記憶できればよい。この変数は、前述のとおり２進数のフラグで記述でき、光学マウスモードを１、レーザポインタモードを０という風にして記憶できる。このＭ、Ｍ_oldの値が異なっている場合（ＳＴ４のＹＥＳ）には、ＳＴ５で、ＰＣ８の初期設定で予め定められた時間、発光ダイオード２１の出力を抑えるよう、ＬＥＤドライバ３を制御する。Ｍと、Ｍ_oldが同じであれば（ＳＴ４のＮＯ）、ＳＴ５のステップを飛ばして、ＳＴ６に移動する。
【００４７】
ＳＴ６で、制御部５は、次のループでのＳＴ５の判断に備えて、過去の時刻のモードＭ_oldが光学マウスモードであることを、ＲＡＭ５２に記憶する。ここで、次のループではｔがインクリメントしてｔ＋１となり、このとき過去の時刻は、時刻ｔ＋１からみて、１つ前であり、時刻ｔのモードになる。そこで、次の時刻ｔ＋１において、１つ前の時刻となる時刻ｔのモードと比較できるよう、現在時刻ｔのモードＭをモードＭ_oldに代入する。
【００４８】
ＳＴ７で、光学マウスモード処理のサブルーチンを動作可能な状態にする。例えば、ＳＴ７で光学マウスモード処理を禁止する禁止フラグを０に設定し、禁止フラグが設定されていない場合には、これらの処理を実行するようにしてもよい。
【００４９】
ＳＴ８で、制御部５は、時刻ｔをレーザポインタモードとしてＲＡＭ５２に記憶する。
ＳＴ９、ＳＴ１０では、それぞれＳＴ４、ＳＴ５と同様の判断、処理を行う。すなわち、時刻ｔと、１回前にこのフローを実行した時刻ｔ−１とで、モード（光学マウスモード、レーザポインタモードのいずれか）が異なっているかどうか判断する。異なっている場合（ＳＴ９のＹＥＳ）には、ＳＴ１０で、ＰＣ８の初期設定で予め定められた時間発光ダイオード２１の出力を抑える。モード（光学マウスモード、レーザポインタモードのいずれか）が同じであれば（ＳＴ９のＮＯ）、ＳＴ１０のステップを飛ばして、ＳＴ１１に移動する。
【００５０】
ＳＴ１１で、次のループでのＳＴ９の判断に備えて、過去の時刻のモードＭ_oldが光学レーザポインタモードであることを、ＲＡＭ５２に記憶する。ここで、次のループではｔがインクリメントしてｔ＋１となり、このとき、過去の時刻は、時刻ｔ＋１からみて１つ前であり、時刻ｔのモードになる。そこで、次の時刻ｔ＋１において、１つ前の時刻となる時刻ｔのモードと比較できるよう、現在時刻ｔのモードＭをモードＭ_oldに代入する。
【００５１】
ＳＴ１２では、マウス１をレーザポインタとして動作させる。具体的には、光学マウスモード処理のサブルーチンの動作を禁止する。すなわち、制御部５は、移動方向、速度をＰＣ８に送信しないようにする。また、制御部５は、発光ダイオード２１の出力を抑えるよう、ＬＥＤドライバ３に出力する電圧を調整する。これにより、プレゼンテーションの時に、不必要な強度の光が出力されないようにする。ＳＴ１２の後、ＳＴ１３に移動する。
【００５２】
なお、過去の時刻のモードを記憶するＳＴ６は、ＳＴ７と順序が前後していてもよく、ＳＴ７の後でもよい。ＳＴ１１も、ＳＴ１２と順序が前後していてもよく、ＳＴ１２の後でもよい。
【００５３】
また、以上の実施形態では、マウス１を鉛直下側で接していたが、マウス１と接触した状態にすることができるのであれば、下面１０３は、必ずしも下である必要はない。例えば、磁力でマウス１を壁、斜面に固定するなども可能である。
【００５４】
また、以上の実施形態では、ハーフミラー２２が光を通さないよう遮蔽材が塗布されているとしたが、ピン２３を平らに形成して、ピン２３が発光ダイオード２１の光を第２導入路１３に通さないようにしてもよい。
【００５５】
次に、図４を用いて、第１の実施形態の応用に係る第２の実施形態の装置について説明する。図４は、透視図であり、第１導入棒１２１、第３導入路１３１は奥行き方向（図面の紙面に垂直な方向）の配置が異なるものとする。この実施形態では、光の切換方法が第１実施形態と異なる。第１実施形態と同じ機能の部分は、同じ符号を付して、以上の説明を準用する。また、図３のフローもそのまま適用できる。
【００５６】
この実施形態では、図４（Ａ）に示すように、第１導入棒１２１、第３導入路１３１、支持部１２２、ピン２３に対応するピン２３１、イメージセンサ２４、トーションスプリング２５１を備える。第１導入棒１２１は、発光ダイオード２１の前方に設けられた筒状体である。支持部１２２は、第１導入棒１２１を回動可能に支持する。ピン２３１は、第１導入棒１２１に固定され、マウス１Ａの下面１０３が机１０１と接するかどうかに対応して下面１０３の面に略垂直な方向に上下する。トーションスプリング２５１は、第１導入棒１２１、第３導入路１３１の間が離れるように第１導入棒１２１に力が働く。
【００５７】
図４（Ａ）に示すように、マウス１Ａを机１０１に置くと、下面１０３が机１０１（本発明の接触面に相当する。）と接する。このとき、第１導入棒１２１は、発光ダイオード２１の光を机１０１に導く。
【００５８】
図４（Ｂ）に示すように、トーションスプリング２５１により押し付けられ、第１導入棒１２１が回転する。これに応じて、発光ダイオード２１から出力された光の出力方向を第１導入棒１２１から第３導入路１３１に切り換える。これにより、第１光路に相当する第３光路２１１１から光が出力される。
【００５９】
また、再度、図４（Ａ）のように置いたときは、ピン２３１（本発明の突起部に相当する。）がマウス１Ａの重力により押さえつけられ、トーションスプリング２５１が縮んで、第３導入路１３１をふさぎ、発光ダイオード２１の光は、第１導入棒１２１に導入される。これにより、第２光路２１２に相当する第４光路２１２１の経路でイメージセンサ２４に光が入射する。
【００６０】
なお、トーションスプリング２５１によってではなく、重力により、第１導入棒１２１が回転するように、ピン２３１、第１導入棒１２１を配置してもよい。このように配置されていることも、本発明の「移動手段」に相当する。
【００６１】
次に、図５を用いて、第１、第２の実施形態の応用に係る第３の実施形態の装置について説明する。この図は、透視図であり、第２導入棒１２３、第４導入路１３３は奥行き方向（図面の紙面に垂直な方向）の配置が異なるものとする。この実施形態では、光の切換方法が第１、第２実施形態と異なる。第１実施形態、第２実施形態と同じ機能の部分は、同じ符号を付して、以上の説明を準用する。また、図３のフローもそのまま適用できる。
【００６２】
この実施形態では、図５（Ａ）に示すように、遮蔽材１９、第２導入棒１２３、第４導入路１３３、ピン２３、２３１に対応するピン２３２、ばね２５３、固定部２５４、イメージセンサ２４を備える。遮蔽材１９は、発光ダイオード２１の前方にピン２３２に固定され、１つの孔１９１が空いている。固定部２５４は、ケース１１に固定されている（ケース１１そのものの一部でもよい。）。ばね２５３は、ピン２３２と固定部を離間する方向に力が働き、遮蔽材１９を下面１０３の方へ押し付ける。第２導入棒１２３、第４導入路１３３は、発光ダイオード２１の前方にその入り口が並行して設けられた筒状体である。
【００６３】
図５（Ａ）に示すように、マウス１Ａを机１０１に置くと、下面１０３が机１０１（本発明の接触面に相当する。）と接する。このとき、遮蔽材１９の孔１９１は、発光ダイオード２１の光を第２導入棒１２３に導くと共に、遮蔽材１９は、第４導入路１３２への光の進入を遮断する。
【００６４】
図５（Ｂ）に示すように、ばね２５２の押し付け力により、マウス１Ａからピン２３が突出して、遮蔽材１９が移動する。これにより、遮蔽材１９は、第２導入棒１２３をふさぐと共に、孔１９１が、発光ダイオード２１の光を第２導入棒１２３に導入する。これにより、発光ダイオード２１から出力された光の出力方向を第２導入棒１２３から第４導入路１３２に切り換える。これにより第１光路２１１に相当する第５光路２１１２から前方１１１に光が出力される。
【００６５】
また、再度、図５（Ａ）のように置いたときは、ピン２３２（本発明の突起部に相当する。）がマウス１Ａの重力により押さえつけられ、ばね２５３が縮んで、遮蔽材１９が移動する。これにより、遮蔽材１９は、第４導入路１３２をふさぐと共に、孔１９１が、発光ダイオード２１の光を第２導入棒１２３に導入する。第２導入棒１２３に導入した光は、第２光路２１２に相当する第６光路２１２２の経路でイメージセンサ２４に入射する。
【００６６】
なお、ばね２５３によってではなく、重力によりピン２３２、遮蔽材１９が移動するように配置してもよい。このように配置されていることが、本発明の「移動手段」に相当する。また、発光ダイオード２１を遮蔽材１９に固定して、このとき遮蔽材１９の手前の位置に固定してもよい。このようにすれば、遮蔽材１９が移動に伴い、発光ダイオード２１が連動して動くから、これらの位置関係がずれることがない。
【００６７】
第３導入路１３１、第４導入路１３２は、本発明の「第２の光導入部」に相当する。
【図面の簡単な説明】
【００６８】
【図１】第１実施形態のマウスの構成図
【図２】第１実施形態のマウスの動作を表わす図
【図３】第１実施形態のマウスの動作フローを表わす図
【図４】第２実施形態のマウスの構成と動作を表わす図
【図５】第３実施形態のマウスの構成と動作を表わす図
【符号の説明】
【００６９】
１−マウス、  １１−ケース、  １１１−前方、
１２−第１導入路、  １２１−第１導入棒、  １２２−支持部、
１２３−第２導入棒、
１３−第２導入路、  １３１−第３導入路、  １３２−第４導入路、  １４−孔、
１５−孔、  １７−ボタン、  ２１−発光ダイオード、
２２−ハーフミラー、  ２３−ピン、  ２４−イメージセンサ、
２５−ばね、  ２６−ばね、  ２５１−トーションスプリング、
２５３−ばね、  ３−ＤＳＰ、  ４−送受信部、
５−制御部、  ５１−ＲＯＭ，  ５２−ＲＡＭ、
８−ＰＣ、  ８０−ＣＰＵ、８１−ＲＯＭ、  ８２―ＲＡＭ、  ８３−記憶装置、
８４−送受信部、  １０１−机、  １０２−上方、  １０３−下面、
２１１−第１光路、  ２１２−第２光路、
２１１１−第３光路、  ２１２１−第４光路、
２１１２−第５光路、  ２１２２−第６光路
【図１】
2008276287.tif 000003
【図２】
2008276287.tif 000004
【図３】
2008276287.tif 000005
【図４】
2008276287.tif 000006
【図５】
2008276287.tif 000007